(57)【特許請求の範囲】
【請求項１】
車体上に搭載され、後方開口部を有する塵芥収容箱と、前記塵芥収容箱の後方開口部に連設される塵芥投入箱であり、塵芥投入口から投入された塵芥を前記塵芥収容箱内へ押し込む塵芥積込装置を備えた塵芥投入箱と、前記塵芥積込装置の機械室と前記塵芥収容箱の後方開口部側とを仕切る仕切板とを有する塵芥収集車の火災延焼抑制装置であって、
前記仕切板の機械室側の上方に向けて延焼抑制用液体を散布するノズルを含む火災延焼抑制装置。
【請求項２】
前記ノズルは、水平方向に複数設けられたものである請求項１記載の火災延焼抑制装置。
【請求項３】
請求項１または２に記載の火災延焼抑制装置を有する塵芥収集車。
【請求項４】
車体上に搭載され、後方開口部を有する塵芥収容箱と、前記塵芥収容箱の後方開口部に連設される塵芥投入箱であり、塵芥投入口から投入された塵芥を前記塵芥収容箱内へ押し込む塵芥積込装置を備えた塵芥投入箱と、前記塵芥積込装置の機械室と前記塵芥収容箱の後方開口部側とを仕切る仕切板とを有する塵芥収集車の火災延焼抑制方法であって、
前記仕切板の機械室側の上方に向けてノズルから延焼抑制用液体を散布することを含む火災延焼抑制方法。
【発明の詳細な説明】
【技術分野】
【０００１】
本発明は、収集した塵芥が火種となって発生する火災の延焼を抑制する火災延焼抑制装置およびこれを備えた塵芥収集車ならびに火災延焼抑制方法に関する。
【背景技術】
【０００２】
収集した塵芥が火種となって発生する塵芥収集車の火災が問題となっている。従来、この塵芥収集車の火災に対処するものとして、例えば特許文献１には、エンジンより排出される排気ガスを外部に放出するための排気管と、この排気管から排気ガスを塵芥収容箱の内部に導く排気ガス導入路とを備え、排気ガス導入路または排気管の所定部に、排気ガス導入路を通して消火剤または水を塵芥収容箱の内部に供給するための接続口を設けた塵芥収集車が記載されている。
【０００３】
また、特許文献２には、塵芥収容箱の天井壁に設けられる水蒸気発生室と、水蒸気発生室と塵芥収容箱内とを連通する水蒸気注入路とを備える水蒸気発生手段により、消火用の水蒸気を塵芥収容箱内に供給するようにした塵芥収集車が記載されている。
【先行技術文献】
【特許文献】
【０００４】
【特許文献１】特開２００８−２９０８３８号公報
【特許文献２】特開２０１０−２５４４４９号公報
【発明の概要】
【発明が解決しようとする課題】
【０００５】
上記従来の塵芥収集車は、いずれも塵芥収容箱の上部から塵芥収容箱内に水等を供給することにより火災の延焼を抑制するというものであるが、塵芥収容箱内に塵芥が満載されている状態では水等が塵芥によって行く手を阻まれ、火災の発生箇所まで到達することができないことがある。特に、火元は塵芥積込装置によって塵芥が押し込まれる塵芥収容箱の後方開口部付近であることが多いため、水等がこの火元まで到達できない可能性が高い。
【０００６】
そこで、本発明においては、塵芥収容箱内に塵芥が満載されている状態であっても火元となる塵芥収容箱の後方開口部付近へ素早く水等の延焼抑制用液体を供給することが可能な火災延焼抑制装置およびこれを備えた塵芥収集車ならびに火災延焼抑制方法を提供することを目的とする。
【課題を解決するための手段】
【０００７】
本発明の火災延焼抑制装置は、車体上に搭載され、後方開口部を有する塵芥収容箱と、塵芥収容箱の後方開口部に連設される塵芥投入箱であり、塵芥投入口から投入された塵芥を塵芥収容箱内へ押し込む塵芥積込装置とを備えた塵芥投入箱と、塵芥積込装置の上部下側と塵芥収容箱の後方開口部側とを仕切る仕切板とを有する塵芥収集車の火災延焼抑制装置であって、仕切板の上面に向けて延焼抑制用液体を散布するノズルを含むものである。
【０００８】
また、本発明の火災延焼抑制方法は、車体上に搭載され、後方開口部を有する塵芥収容箱と、塵芥収容箱の後方開口部に連設される塵芥投入箱であり、塵芥投入口から投入された塵芥を塵芥収容箱内へ押し込む塵芥積込装置を備えた塵芥投入箱と、塵芥積込装置の上部下側と塵芥収容箱の後方開口部側とを仕切る仕切板とを有する塵芥収集車の火災延焼抑制方法であって、仕切板の上面に向けてノズルから延焼抑制用液体を散布することを含むことを特徴とする。
【０００９】
これらの火災延焼抑制装置によれば、仕切板の上面に向けてノズルから散布された延焼抑制用液体が、仕切板の上面を伝って塵芥積込装置の下側の塵芥収容箱の後方開口部付近に流れ落ちるため、塵芥収容箱内に塵芥が満載されている状態であっても塵芥収容箱の後方開口部付近へ素早く水等の延焼抑制用液体を供給することが可能となる。
【発明の効果】
【００１０】
本発明によれば、塵芥収容箱内に塵芥が満載されている状態であっても塵芥収容箱の後方開口部付近へ素早く水等の延焼抑制用液体を供給して火災の延焼を抑制することが可能となる。
【図面の簡単な説明】
【００１１】
【図１】本発明の第１実施形態における塵芥収集車の内部構造を示す側面図である。
【図２】本発明の第２実施形態における塵芥収集車の内部構造を示す側面図である。
【発明を実施するための形態】
【００１２】
（実施の形態１）
図１は本発明の第１実施形態における塵芥収集車の内部構造を示す側面図である。なお、以下の説明において、前後左右の各方向は、塵芥収集車の進行（前進）方向を基準とする。
【００１３】
図１において、本発明の第１実施形態における塵芥収集車１Ａは、車体２上に塵芥収容箱３が搭載されたものである。塵芥収容箱３の後端の後方開口部３Ａには、塵芥投入箱４が連設されている。塵芥投入箱４の後部には、塵芥を投入する塵芥投入口４Ａが開口されている。塵芥投入箱４の内部には、塵芥投入口４Ａから投入された塵芥を、後方開口部３Ａを経て塵芥収容箱３に積み込む圧縮式の塵芥積込装置５が備えられている。
【００１４】
塵芥積込装置５は、塵芥投入箱４内の横幅いっぱいに広がる摺動板１０と、塵芥投入箱４内の横幅いっぱいに広がる圧縮板１１と、摺動板１０を後述する案内溝部材１４に沿って上下に往復移動させるための摺動シリンダ１２と、圧縮板１１を前後に揺動させるための揺動シリンダ１３とを備える。
【００１５】
塵芥投入箱４の左右両側壁には、溝形鋼で形成された案内溝部材１４が補強枠を兼ねて前方上部より後方下部に向かって敷設されている。摺動板１０の左右両側縁の上下には、案内ローラ１５が回転可能に設けられている。案内ローラ１５は、案内溝部材１４の内壁に沿って転動自在に嵌入されている。また、摺動板１０の背面上部の左右端部にはボス部１６が設けられている。ボス部１６には、摺動板支持軸１７が挿通されている。摺動板支持軸１７は、塵芥投入箱４の左右両側壁に形成された摺動用開口１８を越えて塵芥投入箱４の内側より外側にそれぞれ突出している。
【００１６】
摺動シリンダ１２は、案内溝部材１４の傾斜方向に沿って塵芥投入箱４の左右それぞれ外側に突出した摺動板支持軸１７と塵芥投入箱４の下部との間にそれぞれ連結されている。この摺動シリンダ１２の伸縮動作によって、摺動板１０は案内溝部材１４に沿って上下に往復移動する。
【００１７】
圧縮板１１は、摺動板１０の下端に、前後方向に揺動自在に支持されている。また、圧縮板１１の左右両背部には接続部１１Ａが突設されている。揺動シリンダ１３は、この左右それぞれの接続部１１Ａと、摺動板１０の背面上部に設けられた摺動板支持軸１７の左右両端部との間にそれぞれ連結されている。この揺動シリンダ１３の伸縮作動によって、圧縮板１１は前後に揺動する。
【００１８】
また、塵芥投入箱４内には、塵芥積込装置５の上部下側と塵芥収容箱３の後方開口部３Ａ側とを仕切る仕切板６Ａが設けられている。仕切板６Ａは、塵芥投入箱４の幅方向全体に亘って設けられており、下端は圧縮板１１の動作に支障のないギリギリの位置まで延びている。この仕切板６Ａによって、塵芥投入箱４内は、塵芥積込装置５が収容される側である機械室４Ｂと、塵芥収容箱３の後方開口部３Ａへ塵芥が投入される側である塵芥室４Ｃとに区分されている。
【００１９】
また、この仕切板６Ａの機械室４Ｂ側の上方には、仕切板６Ａの上面に向けて水や不燃性液等の延焼抑制用液体Ｗを散布するノズル７を含む火災延焼抑制装置が設けられている。ノズル７は、仕切板６Ａの幅方向全体に亘って満遍なく延焼抑制用液体が散布されるように、水平方向に複数設けられている。なお、ノズル７は１個以上であれば良い。また、塵芥収容箱３の上壁および仕切板６Ａの下面にも延焼抑制用液体Ｗを散布するノズル３０，３１が設けられている。
【００２０】
上記構成の圧縮式の塵芥積込装置５では、摺動シリンダ１２の伸縮動作および揺動シリンダ１３の伸縮動作により、圧縮板１１の後方への揺動による反転動作、摺動板１０の下降動作、圧縮板１１の前方への揺動による圧縮動作、および、圧縮板１１の上昇動作の一連の積込動作を繰り返し行う。これにより、塵芥投入口４Ａから塵芥投入箱４内に投入された塵芥が塵芥収容箱３内へ押し込まれるが、このときに塵芥収容箱３の後方開口部３Ａ付近の塵芥が衝撃により発火して、火災が発生することが多い。
【００２１】
そこで、本実施形態における塵芥収集車１Ａでは、火災発生時にノズル７から仕切板６Ａの上面に向けて延焼抑制用液体Ｗを散布する。仕切板６Ａの上面に向けて散布された延焼抑制用液体Ｗは、仕切板６Ａの上面を伝って仕切板６Ａの下端から塵芥積込装置５の下側の塵芥収容箱３の後方開口部３Ａ付近に流れ落ちる。そのため、塵芥収容箱３内に塵芥が満載されている状態であっても塵芥収容箱３の後方開口部３Ａ付近へ素早く延焼抑制用液体Ｗを供給して火災の延焼を抑制することが可能である。
【００２２】
また、延焼抑制用液体Ｗは、仕切板６Ａの上面から塵芥投入箱４内の横幅いっぱいに広がる摺動板１０の下面にも伝わり、その後、塵芥投入箱４内の横幅いっぱいに広がる圧縮板１１にも伝わる。そのため、より素早く延焼抑制用液体Ｗを火元へ供給して火災の延焼を抑制することが可能となっている。
【００２３】
なお、本実施形態においてノズル７は、仕切板６Ａの機械室４Ｂ側の上方に設けられているが、他の位置に設けることも可能である。要するに、塵芥積込装置５の動作に干渉せずに仕切板６Ａの上面に向かって延焼抑制用液体Ｗを散布して、この散布された延焼抑制用液体Ｗは、仕切板６Ａの上面を伝って仕切板６Ａの下端から塵芥積込装置５の下側の塵芥収容箱３の後方開口部３Ａ付近に流れ落ちるように設ければ良い。
【００２４】
（実施の形態２）
図２は本発明の第２実施形態における塵芥収集車の内部構造を示す側面図である。なお、以下において、上述した塵芥収集車１Ａと共通の構成部分については同一の符号を付し、その詳細な説明を省略する。
【００２５】
図２において、本発明の第２実施形態における塵芥収集車１Ｂは、塵芥投入箱４の内部に回転式の塵芥積込装置８が備えられている。塵芥積込装置８は、車体２の前後方向に揺動する押込板２０と、この押込板２０の下端付近に回転中心を有して正逆転する回転板２１とを備える。
【００２６】
押込板２０は、塵芥投入箱４の幅方向全体に亘って延設され、かつ塵芥収容箱３の後方開口部３Ａに対向するように配設されている。この押込板２０の上部は、塵芥投入箱４の左右両側壁の中央付近の中心軸２０Ａよりも上方に延びる延設部２０Ｂが設けられている。延設部２０Ｂの先端には、左右一対の押込シリンダ２２の先端が連設されている。この押込シリンダ２２の伸縮動作により、押込板２０が中心軸２０Ａ周りに車体２の前後方向に揺動するようになっている。
【００２７】
回転板２１は、押込板２０の下側に設けられている。回転板２１は、押込板２０の下端付近に回転中心としての回転軸２１Ａを有し、塵芥投入箱４の断面略半円弧状に形成された底壁４Ｄに沿って回転軸２１Ａ周りに回転するように構成されている。
【００２８】
また、塵芥投入箱４内には、塵芥積込装置８の上部の押込シリンダ２２の下側と塵芥収容箱３の後方開口部３Ａ側とを仕切る仕切板６Ｂが設けられている。仕切板６Ｂは、塵芥投入箱４の幅方向全体に亘って設けられている。この仕切板６Ｂによって、塵芥投入箱４内は、塵芥積込装置５の押込シリンダ２２が収容される側である機械室４Ｂと、塵芥収容箱３の後方開口部３Ａへ塵芥が投入される側である塵芥室４Ｃとに区分されている。
【００２９】
また、仕切板６Ｂの機械室４Ｂ側の上方には、仕切板６Ｂの上面に向けて水や不燃性液等の延焼抑制用液体Ｗを散布するノズル９を含む火災延焼抑制装置が設けられている。ノズル９は、仕切板６Ｂの幅方向全体に亘って満遍なく延焼抑制用液体が散布されるように、水平方向に複数設けられている。なお、ノズル７は１個以上であれば良い。また、仕切板６Ｂの下面にも延焼抑制用液体Ｗを散布するノズル３１，３２が設けられている。
【００３０】
上記構成の回転式の塵芥積込装置８では、塵芥投入口４Ａから塵芥投入箱４内に投入された塵芥は、回転板２１が正回転（図２において右回り）することによりかき集められ、回転板２１の先端が塵芥収容箱３の後方開口部３Ａの下縁の対応位置まで持ち上げられた状態で、押込板２０が後方位置から前方位置へ揺動することにより回転板２１上の塵芥が後方開口部３Ａを経て塵芥収容箱３内へ押し込まれるが、このときに塵芥収容箱３の後方開口部３Ａ付近の塵芥が衝撃により発火して、火災が発生することが多い。
【００３１】
そこで、本実施形態における塵芥収集車１Ｂでは、火災発生時にノズル９から仕切板６Ｂの上面に向けて延焼抑制用液体Ｗを散布する。仕切板６Ｂの上面に向けて散布された延焼抑制用液体Ｗは、仕切板６Ｂの上面を伝って仕切板６Ｂの下端から塵芥積込装置８の下側の塵芥収容箱３の後方開口部３Ａ付近に流れ落ちる。そのため、塵芥収容箱３内に塵芥が満載されている状態であっても塵芥収容箱３の後方開口部３Ａ付近へ素早く延焼抑制用液体Ｗを供給して火災の延焼を抑制することが可能である。
【００３２】
また、延焼抑制用液体Ｗは、仕切板６Ｂの上面から塵芥投入箱４の幅方向全体に亘って延設された押込板２０の、塵芥収容箱３の後方開口部３Ａに対向する面にも伝わる。そのため、より素早く延焼抑制用液体Ｗを火元へ供給して火災の延焼を抑制することが可能となっている。
【００３３】
なお、本実施形態においてノズル９は、仕切板６Ａの機械室４Ｂ側の上方に設けられているが、他の位置に設けることも可能である。要するに、塵芥積込装置８の動作に干渉せずに仕切板６Ｂの上面に向かって延焼抑制用液体Ｗを散布して、この散布された延焼抑制用液体Ｗは、仕切板６Ｂの上面を伝って仕切板６Ｂの下端から塵芥積込装置８の下側の塵芥収容箱３の後方開口部３Ａ付近に流れ落ちるように設ければ良い。
【産業上の利用可能性】
【００３４】
本発明の火災延焼抑制装置およびこれを備えた塵芥収集車ならびに火災延焼抑制方法は、収集した塵芥が火種となって発生する火災の延焼を抑制する装置ならびに方法として有用である。
【符号の説明】
【００３５】
Ｗ  延焼抑制用液体
１Ａ，１Ｂ  塵芥収集車
２  車体
３  塵芥収容箱
３Ａ  後方開口部
４  塵芥投入箱
４Ａ  塵芥投入口
４Ｂ  機械室
４Ｃ  塵芥室
４Ｄ  底壁
５，８  塵芥積込装置
６Ａ，６Ｂ  仕切板
７，９，３０，３１，３２  ノズル
１０  摺動板
１１  圧縮板
１１Ａ  接続部
１２  摺動シリンダ
１３  揺動シリンダ
１４  案内溝部材
１５  案内ローラ
１６  ボス部
１７  摺動板支持軸
１８  摺動用開口
２０  押込板
２０Ａ  中心軸
２０Ｂ  延設部
２１  回転板
２２  押込シリンダ
【要約】
【課題】塵芥収容箱内に塵芥が満載されている状態であっても火元となる塵芥収容箱の後方開口部付近へ素早く水等の延焼抑制用液体を供給することが可能な火災延焼抑制装置およびこれを備えた塵芥収集車ならびに火災延焼抑制方法の提供。
【解決手段】車体２上に搭載され、後方開口部３Ａを有する塵芥収容箱３と、塵芥収容箱３の後方開口部３Ａに連設される塵芥投入箱４であり、塵芥投入口４Ａから投入された塵芥を塵芥収容箱３内へ押し込む塵芥積込装置５とを備えた塵芥投入箱４と、塵芥積込装置５の上部下側と塵芥収容箱３の後方開口部３Ａ側とを仕切る仕切板６Ａとを有する塵芥収集車１Ａの火災延焼抑制装置であって、仕切板６Ａの上面に向けて延焼抑制用液体Ｗを散布するノズル７を含む。
【選択図】図１【図１】
0005956046.tif 000002
【図２】
0005956046.tif 000003